(57)【要約】【課題】立体表示におけるモアレの発生を抑制することができるようにする。【解決手段】複数の画素を有し、複数の視点画像を表示する表示部と、前記表示部に表示された前記複数の視点画像をそれぞれ異なる方向に分離する複数の分離部とを備える。前記各分離部を第１の斜め方向に傾斜配置する。前記各画素の形状を、前記第１の斜め方向と前記第１の斜め方向に対して左右対称的となる第２の斜め方向とで異ならせる。例えば、前記各画素が前記第１の斜め方向において少なくとも１つの切り欠き部を有する構成とする。【選択図】図９
2013101171.tif 000002
【特許請求の範囲】
【請求項１】
複数の画素を有し、複数の視点画像を表示する表示部と、
前記表示部に表示された前記複数の視点画像をそれぞれ異なる方向に分離する複数の分離部と
を備え、
前記各分離部が第１の斜め方向に傾斜配置され、
前記各画素が、前記第１の斜め方向と前記第１の斜め方向に対して左右対称的となる第２の斜め方向とで形状が異なっている
表示装置。
【請求項２】
前記各画素は、前記第１の斜め方向において少なくとも１つの切り欠き部を有する
請求項１に記載の表示装置。
【請求項３】
前記切り欠き部は、矩形状である
請求項２に記載の表示装置。
【請求項４】
前記切り欠き部は、前記第２の斜め方向に傾斜するような形状である
請求項２に記載の表示装置。
【請求項５】
前記複数の画素は、垂直方向および水平方向に２次元的に配列され、
前記複数の分離部は、垂直方向に対して第１の角度で前記第１の斜め方向に傾斜配置されている
請求項１に記載の表示装置。
【請求項６】
水平方向の各画素列において、前記第１の斜め方向に平行な平行線が前記各画素の有効領域と重なり合う長さが水平方向の位置によらず一定となっている
請求項５に記載の表示装置。
【請求項７】
前記第２の斜め方向は、垂直方向に対して前記第１の角度とは左右逆方向となるような第２の角度で傾斜する方向である
請求項５に記載の表示装置。
【請求項８】
前記各画素は、それぞれが階調に応じて個別に制御される複数の画素領域に分割されており、
前記複数の画素領域を全て含む全体の形状が、前記第１の斜め方向と前記第２の斜め方向とで異なっている
請求項１に記載の表示装置。
【請求項９】
前記複数の画素領域のうち、一部の画素領域の形状も、前記第１の斜め方向と前記第２の斜め方向とで異なっている
請求項８に記載の表示装置。
【請求項１０】
前記一部の画素領域は、部分的に前記第２の斜め方向に延在するような形状を有する
請求項９に記載の表示装置。
【請求項１１】
前記表示部において、前記複数の画素の間にブラックマトリクスを有する
請求項１に記載の表示装置。
【請求項１２】
表示装置を備え、
前記表示装置は、
複数の画素を有し、複数の視点画像を表示する表示部と、
前記表示部に表示された前記複数の視点画像をそれぞれ異なる方向に分離する複数の分離部と
を有し、
前記各分離部が、第１の斜め方向に傾斜配置され、
前記各画素は、前記第１の斜め方向と前記第１の斜め方向に対して左右対称的となる第２の斜め方向とで形状が異なっている
電子機器。
【発明の詳細な説明】
【技術分野】
【０００１】
本開示は、パララックスバリア等を用いて裸眼方式による立体表示を行う表示装置、およびそのような表示装置を備えた電子機器に関する。
【背景技術】
【０００２】
立体表示を行う手法としては、立体視用の眼鏡を用いる眼鏡方式と、立体視用の特殊な眼鏡を用いることなく裸眼での立体視を可能にした裸眼方式とがある。裸眼方式の代表的なものとしては、パララックスバリア方式とレンチキュラレンズ方式とがある。パララックスバリア方式やレンチキュラ方式の場合、２次元表示パネルに立体視用の複数の視点画像（２視点の場合には右眼用視点画像と左眼用視点画像）を空間分割して表示し、その視点画像を分離手段によって水平方向に分離することで立体視が行われる。パララックスバリア方式の場合、分離手段としてスリット状の開口部が設けられたパララックスバリアを用いる。レンチキュラ方式の場合、分離手段として、シリンドリカル状の分割レンズを複数並列配置したレンチキュラレンズが用いられる。
【０００３】
また、パララックスバリア方式において開口部を斜め方向に傾斜配置させる、またはレンチキュラレンズ方式においてシリンドリカル状の分割レンズを斜め方向に傾斜配置させる構成が知られている（特許文献１参照）。
【先行技術文献】
【特許文献】
【０００４】
【特許文献１】特表２００１−５０１０７３号公報
【発明の概要】
【発明が解決しようとする課題】
【０００５】
上記したように開口部または分割レンズを斜め方向に傾斜配置させる構成の場合、画素の配列や画素形状などとの関係によっては、モアレが発生し、立体表示の品質が劣化するおそれがある。
【０００６】
本開示の目的は、立体表示におけるモアレの発生を抑制することができる表示装置および電子機器を提供することにある。
【課題を解決するための手段】
【０００７】
本開示による表示装置は、複数の画素を有し、複数の視点画像を表示する表示部と、表示部に表示された複数の視点画像をそれぞれ異なる方向に分離する複数の分離部とを備え、各分離部が第１の斜め方向に傾斜配置され、各画素が、第１の斜め方向と第１の斜め方向に対して左右対称的となる第２の斜め方向とで形状が異なっているものである。
なお、本開示による表示装置において、「画素」は、複数のサブピクセルを有していても良い。その場合、複数のサブピクセルのそれぞれの形状を、上記形状とすれば良い。
【０００８】
本開示による電子機器は、上記本開示による表示装置を備えたものである。
【０００９】
本開示による表示装置または電子機器では、表示部に表示された複数の視点画像が複数の分離部によって、それぞれ異なる方向に分離される。各分離部が第１の斜め方向に傾斜配置されると共に、各画素の形状が、第１の斜め方向と第１の斜め方向に対して左右対称的となる第２の斜め方向とで異なっていることで、モアレの発生が抑制される。
【発明の効果】
【００１０】
本開示の表示装置または電子機器によれば、各分離部を第１の斜め方向に傾斜配置すると共に、各画素の形状を、第１の斜め方向と第１の斜め方向に対して左右対称的となる第２の斜め方向とで異ならせるようにしたので、立体表示におけるモアレの発生を抑制することができる。
【図面の簡単な説明】
【００１１】
【図１】本開示の第１の実施の形態に係る表示装置の全体構成の一例を示す断面図である。
【図２】第１の実施の形態に係る表示装置における表示部の画素配列とパララックスバリアの構成との第１の例を示す平面図である。
【図３】表示部の画素配列とパララックスバリアの構成との第２の例を示す平面図である。
【図４】表示部の画素配列とパララックスバリアの構成との第３の例を示す平面図である。
【図５】比較例に係る画素構造とパララックスバリアの構成とを示す平面図である。
【図６】図５に示した画素構造の場合において、パララックスバリアの開口部を透過するサブピクセルの透過面積の割合を示した特性図である。
【図７】比較例に係る画素構造とパララックスバリアの構成との具体例を示す平面図である。
【図８】パララックスバリアの開口部を透過するサブピクセルの透過面積の割合の理想的な例を示した特性図である。
【図９】モアレを改善する画素形状の第１の例を示す平面図である。
【図１０】図９に示した画素形状を適用した画素配列の例を示す平面図である。
【図１１】モアレを改善する画素形状の第２の例を示す平面図である。
【図１２】図１１に示した画素形状を適用した画素配列の例を示す平面図である。
【図１３】モアレを改善する画素形状の第３の例を示す平面図である。
【図１４】図１３に示した画素形状を適用した画素配列の例を示す平面図である。
【図１５】図９に示した画素形状と図１３に示した画素形状とを組み合わせた画素配列の例を示す平面図である。
【図１６】比較例に係るマルチ画素構造の例を示す平面図である。
【図１７】マルチ画素構造においてモアレを改善する画素形状の第１の例を示す平面図である。
【図１８】図１７（Ｂ）に示した画素形状の特徴を説明するための平面図である。
【図１９】マルチ画素構造においてモアレを改善する画素形状の第２の例を示す平面図である。
【図２０】図１９（Ｂ）に示した画素形状の特徴を説明するための平面図である。
【図２１】表示装置の他の構成例を示す断面図である。
【図２２】電子機器の一例を示す外観図である。
【発明を実施するための形態】
【００１２】
以下、本開示の実施の形態について図面を参照して詳細に説明する。なお、説明は以下の順序で行う。
１．第１の実施の形態
パララックスバリア方式の表示装置の例。
２．第２の実施の形態
マルチ画素構造を用いる例。
３．第３の実施の形態
レンチキュラレンズ方式の表示装置の例。
４．その他の実施の形態
電子機器の例等。
【００１３】
＜１．第１の実施の形態＞
［表示装置の基本構成］
図１〜図４を参照して、本発明の第１の実施の形態に係る表示装置の基本構成を説明する。この表示装置は、パララックスバリア１と、表示部２とを備えている。
【００１４】
表示部２は、液晶表示パネル、エレクトリックルミナンス方式の表示パネル、またはプラズマディスプレイ等の２次元表示ディスプレイで構成されている。表示部２の画像表示面には、複数の画素が水平方向および垂直方向に２次元的に配列されている。１つの画素は複数のサブピクセルで構成されている。
【００１５】
例えば図２〜図４に示したように、１つの画素がＲ（赤色）サブピクセル２０Ｒと、Ｇ（緑色）サブピクセル２０Ｇと、Ｂ（青色）サブピクセル２０Ｂとの第１ないし第３の色のサブピクセルから構成されている。そして、水平方向に３つの色の各サブピクセルが周期的に交互に配列され、垂直方向には同一色のサブピクセルが配列されている。また、各サブピクセルの間にはブラックマトリクス２１が設けられている。以下では、第１ないし第３の色のサブピクセルを各色の区別無く総称する場合には、「サブピクセル２０」と記す。表示部２には、複数の視点用の視差画像（視点画像）が、所定のパターンに従って各サブピクセル２０に割り当てられて合成表示されるようになっている。
【００１６】
なお、図２〜図４では、画素の構造に関しては主として画素の配列状態を説明するために、サブピクセル２０の形状を長方形状で簡略化して図示しているが、より詳しくは、図９等で後述するようにモアレを改善するために一部に切り欠き部を有する画素形状とされている。
【００１７】
パララックスバリア１は、表示部２に表示された視差合成画像に含まれる複数の視点画像を立体視が可能となるように複数の視点方向に分離するものであり、立体視を可能にするように表示部２に対して所定の位置関係で対向配置されている。パララックスバリア１は、光を遮蔽する遮蔽部１１と、光を透過する開口部１２とを有している。パララックスバリア１は、固定式のバリア素子であっても良いし、可変式のバリア素子であっても良い。固定式のバリア素子の場合、例えば透明な平行平面板（基材）の表面に、薄膜状の金属などで開口部１２および遮蔽部１１となるパターンを形成したものを用いることができる。可変式のバリア素子とする場合、例えばバックライト方式の液晶表示素子による表示機能（光変調機能）を用いて、開口部１２および遮蔽部１１のパターンを選択的に形成することができる。なお、図１では、表示部２の表示面側にパララックスバリア１を配置した例を示しているが、表示部２の背面側にパララックスバリア１を配置する構成であっても良い、例えば表示部２としてバックライト方式の液晶表示パネルを用いる場合、液晶表示パネルの背面側で、バックライトと液晶表示パネルとの間にパララックスバリア１を配置すれば良い。
【００１８】
パララックスバリア１の開口部１２は、特定の視点位置から表示部２を観測したときに特定の視点画像のみが観察されるように、表示部２の画面上の視差合成画像に含まれる複数の視点画像を分離する分離部としての機能を有している。開口部１２と、表示部２の各サブピクセル２０との位置関係から、表示部２の各サブピクセル２０より発せられた光の出射角度が制限される。表示部２における各サブピクセル２０は、開口部１２との位置関係によって、表示される方向が異なることとなる。図１に示したように、観察者の左右の眼１０Ｌ，１０Ｒには、異なるサブピクセル２０からの光線Ｌ３，Ｌ２が到達し、互いに視差のある視点画像を観察する状態となることで立体映像として知覚できる。
【００１９】
パララックスバリア１の開口部１２は、例えば図２〜図４に示したように、垂直方向に対して第１の斜め方向３１に延在するように傾斜配置されている。ここで、図２は、開口部１２の水平方向からの角度をθとしたとき、ｔａｎθ＝３／１となるように開口部１２を傾斜配置した例を示している。図３は、ｔａｎθ＝３／２となるように開口部１２を傾斜配置した例を示している。図４は、ｔａｎθ＝６／１となるように開口部１２を傾斜配置した例を示している。なお、図２〜図４において、赤色サブピクセル２０Ｒ、緑色サブピクセル２０Ｇ、および青色サブピクセル２０Ｂのそれぞれに付した番号は、表示する視点数に対応する画素番号（視点番号）を示している。ここでは視点数が３つである場合を例にしている。また、図２〜図４では、開口部１２の配置パターン（バリアパターン）は、第１の視点画像に対応する位置から見た状態を示している。図２〜図４に示したように、赤色サブピクセル２０Ｒ、緑色サブピクセル２０Ｇ、および青色サブピクセル２０Ｂには、複数の視点画像が、開口部１２の傾斜角度に応じた所定の割り当てパターンで割り当てられる。
【００２０】
［モアレの発生の説明］
図１〜図４に示したような構成では、観察者の視点位置や観察者が見る画面位置（中心部と周辺部等）に応じて、見掛け上、開口部１２の位置とサブピクセル２０の位置との相対関係が変化し、開口部１２を介して観察されるサブピクセル２０の位置や領域が異なる。このため、画素構造によってはモアレが発生する問題がある。
【００２１】
例えば図５に示した比較例に係る画素構造のように、サブピクセル２０が長方形状である場合を例に説明する。なお、図５では、サブピクセル２０を水平方向に４つのみ代表して図示している。隣接するサブピクセル２０の間には、ブラックマトリクス２１が存在しているため、開口部１２の位置とサブピクセル２０の位置との相対関係が変化した場合、開口部１２を透過する光の割合が変化する。開口幅Ｗ１の違いによっても、開口部１２を透過する光の割合は変化する。図６は、図５において画素列の左端の位置を基準位置として開口部１２が水平方向に移動した場合に、開口部１２を介して観察されるサブピクセル２０の透過面積の割合を計算した結果の一例を示している。図６の計算例に示したようにサブピクセル２０の透過面積の割合が変化し、透過光の割合が変化するため、これが輝度の変化（モアレ）として観察されてしまう。より具体的に、例えば図７に示したように、１つのサブピクセル２０において、ブラックマトリクス２１の割合が垂直方向および水平方向に２０％、開口幅Ｗ１がサブピクセル幅の１．２倍の大きさで、全面白表示とする場合を計算すると、輝度の変調度は３．９％となる。
ここでいう変調度とは、
（輝度の最大値−輝度の最小値）／輝度の平均値
のことをいう。
【００２２】
［モアレの発生を抑制する画素構造の例］
図６に示した比較例に対して、モアレの発生を抑制するためには、図８に示したようにサブピクセル２０の透過面積の割合が開口部１２の水平位置によらず一定となるようにすれば良い。図９〜図１５を参照して、モアレの発生を抑制する画素構造の例を説明する。以下の各例では、パララックスバリア１の開口部１２は、垂直方向に対して第１の角度α（図９（Ｂ）等参照）で第１の斜め方向３１に傾斜配置されているものとする。
【００２３】
（第１の例）
図９（Ａ），（Ｂ）は、モアレを改善する画素形状の第１の例を示している。図１０は、図９（Ａ），（Ｂ）に示した画素形状を適用した画素配列の例を示している。なお、図１０では、サブピクセル２０を水平方向に４つのみ代表して図示している。
【００２４】
この第１の例では、サブピクセル２０の形状が全体として略長方形状で、第１の斜め方向３１において１つの切り欠き部２２を有した形状となっている。より具体的には、長方形状の左上側の角部を矩形状に切り欠いた形状となっている。これにより、サブピクセル２０が、第１の斜め方向３１と第１の斜め方向３１に対して左右対称的となる第２の斜め方向３２とで形状が異なっている。第２の斜め方向３２は、図９（Ｂ）に示したように、垂直方向に対して第１の角度αとは左右逆方向となるような第２の角度−αで傾斜する方向である。切り欠き部２２は、ブラックマトリクス２２の構成要素の１つであっても良い。例えば画素駆動用のＴＦＴ（Thin Film Transistor）やＰＳ（フォトスペーサ）であっても良い。
【００２５】
（第２の例）
図１１（Ａ），（Ｂ）は、モアレを改善する画素形状の第２の例を示している。図１２は、図１１（Ａ），（Ｂ）に示した画素形状を適用した画素配列の例を示している。なお、図１２では、サブピクセル２０を水平方向に４つのみ代表して図示している。
【００２６】
この第２の例では、サブピクセル２０の形状が全体として略長方形状で、第１の斜め方向３１において第１の切り欠き部２３と第２の切り欠き部２４とを有した形状となっている。これにより、サブピクセル２０が、第１の斜め方向３１と第１の斜め方向３１に対して左右対称的となる第２の斜め方向３２とで形状が異なっている。より具体的には、長方形状の左上側の角部が部分的に第２の斜め方向３２に切り欠いた形状となっている。また、長方形状の右下側の角部が第２の斜め方向３２に切り欠いた形状となっている。なお、図では第１の切り欠き部２３と第２の切り欠き部２４とが斜め方向に段差状に切り欠いた形状となっているが、第２の斜め方向３２に直線状に切り欠いた形状となっていても良い。第１の切り欠き部２３と第２の切り欠き部２４は、ブラックマトリクス２２の構成要素の１つであっても良い。
【００２７】
（第３の例）
図１３（Ａ），（Ｂ）は、モアレを改善する画素形状の第３の例を示している。図１４は、図１３（Ａ），（Ｂ）に示した画素形状を適用した画素配列の例を示している。なお、図１４では、サブピクセル２０を水平方向に４つのみ代表して図示している。
【００２８】
この第３の例では、サブピクセル２０の形状が全体として略長方形状で、第１の斜め方向３１において第１の切り欠き部２５と第２の切り欠き部２６とを有した形状となっている。これにより、サブピクセル２０が、第１の斜め方向３１と第１の斜め方向３１に対して左右対称的となる第２の斜め方向３２とで形状が異なっている。より具体的には、長方形状の左上側の角部と右下側の角部とが第２の斜め方向３２に切り欠いた形状となっている。なお、図では第１の切り欠き部２５と第２の切り欠き部２６とが斜め方向に段差状に切り欠いた形状となっているが、第２の斜め方向３２に直線状に切り欠いた形状となっていても良い。なお、上記第２の例では第１の切り欠き部２３の割合と第２の切り欠き部２４の割合とが異なっているが、この第３の例では第１の切り欠き部２５の割合と第２の切り欠き部２６の割合とが略同一となっている。第１の切り欠き部２５と第２の切り欠き部２６は、ブラックマトリクス２２の構成要素の１つであっても良い。
【００２９】
（第４の例）
図１５は、モアレを改善する画素形状の第４の例を示している。なお、図１５では、サブピクセル２０を水平方向に４つのみ代表して図示している。この第４の例は、図１１（Ａ），（Ｂ）の第１の例の画素形状と図１３（Ａ），（Ｂ）の第３の例の画素形状とを組み合わせたものである。２つの異なる形状のサブピクセル２０を水平方向に交互に配置している。
【００３０】
以上の第１ないし第４の例のような構造にすることで、水平方向の画素列において、開口部１２の傾斜方向（第１の斜め方向３１）に平行な平行線４１に含まれるサブピクセル２０の有効領域の割合（平行線４１とサブピクセル２０の有効領域とが重なり合う長さの割合）が、水平方向の位置によらず一定となる（図１０、図１２、図１４および図１５参照）。なお、サブピクセル２０の有効領域とは、例えば表示部２が自発光型のディスプレイである場合には、実質的に表示に寄与する有効な発光領域のことをいう。また例えば表示部２が液晶ディスプレイである場合には、実質的に表示に寄与する有効な画素開口または光の透過領域のことをいう。従って、開口部１２の開口幅Ｗ１が同一であれば、サブピクセル２０の透過面積の割合が開口部１２の水平位置によらず一定となり、モアレの発生が抑制される。
【００３１】
［効果］
以上説明したように、本実施の形態に係る表示装置によれば、分離部としての開口部１２を第１の斜め方向３１に傾斜配置すると共に、サブピクセル２０の形状を、第１の斜め方向３１と第１の斜め方向３１に対して左右対称的となる第２の斜め方向３２とで異ならせるようにしたので、立体表示におけるモアレの発生を抑制することができる。
【００３２】
＜２．第２の実施の形態＞
次に、本開示の第２の実施の形態に係る表示装置について説明する。なお、上記第１の実施の形態に係る表示装置と実質的に同一の構成部分には同一の符号を付し、適宜説明を省略する。
【００３３】
本実施の形態は、単位画素が階調に応じて個別に制御される複数の画素領域に分割されているような、いわゆるマルチ画素構造である場合の表示装置に関する。
【００３４】
［比較例に係るマルチ画素構造の例］
図１６は、比較例に係るマルチ画素構造の例を示している。このマルチ画素構造の例では、１つのサブピクセル２０が、第１の領域２０−１と、第２の領域２０−２とに分割されている。第１の領域２０−１と第２の領域２０−２は、それぞれ輝度を個別に制御できるようになっている。例えば全体として白表示を行う場合には、図１６（Ａ）に示したように、第１の領域２０−１と第２の領域２０−２との双方を高輝度（白表示）となるように駆動する。全体として中間調表示（グレー表示）を行う場合には、例えば図１６（Ｂ）に示したように、第１の領域２０−１を高輝度（白表示）とし、第２の領域２０−２を低輝度（黒表示）とするような駆動を行う。
【００３５】
図１６の比較例に係るマルチ画素構造では、第１の領域２０−１と第２の領域２０−２とを合わせた全体形状が長方形状となっている。このため、全体として白表示を行う場合には、上記図５〜図７を参照して説明したようにモアレが発生する。また、図１６の比較例に係るマルチ画素構造では、第１の領域２０−１も長方形状であり、垂直方向のピクセル幅は水平位置によらずＨ１で一定となっている。このため、中間調表示を行う場合にも、上記した同様の原理でモアレが発生する。
【００３６】
［モアレの発生を抑制するマルチ画素構造の例］
図１６に示した比較例に対して、白表示を行う場合と中間調表示を行う場合との双方においてモアレの発生を抑制する画素構造の例を、図１７〜図２０を参照して説明する。以下の各例では、パララックスバリア１の開口部１２は、垂直方向に対して第１の角度α（図１８等参照）で第１の斜め方向３１に傾斜配置されているものとする。
【００３７】
（第１の例）
図１７および図１８は、マルチ画素構造において、モアレを改善する画素形状の第１の例を示している。この第１の例では、図１７（Ａ）に示したように、サブピクセル２０を構成する第１の領域２０−１と第２の領域２０−２とを合わせた全体形状が、上記図９（Ａ），（Ｂ）で説明した画素形状と同じとなっている。すなわち、第１の斜め方向３１において１つの切り欠き部２２を有した形状であり、サブピクセル２０全体の形状が、第１の斜め方向３１と第１の斜め方向３１に対して左右対称的となる第２の斜め方向３２とで形状が異なっている。これにより、白表示を行う場合のモアレの発生が抑制される。
【００３８】
また、図１７（Ｂ）および図１８に示したように、第１の領域２０−１の単体での形状も、第１の斜め方向３１と第２の斜め方向３２とで異なっている。図１７（Ｂ）に示したように、第１の領域２０−１の垂直方向のピクセル幅は水平位置に応じてＨ１，Ｈ２と異なる部分が存在している。また、図１８に示したように、第１の領域２０−１は、部分的に第２の斜め方向３２に延在するような形状を有している。
【００３９】
（第２の例）
図１９および図２０は、マルチ画素構造において、モアレを改善する画素形状の第２の例を示している。この第２の例では、図１９（Ａ）に示したように、サブピクセル２０を構成する第１の領域２０−１と第２の領域２０−２とを合わせた全体形状が、上記図１３（Ａ），（Ｂ）で説明した画素形状と同じとなっている。すなわち、第１の斜め方向３１において第１の切り欠き部２５と第２の切り欠き部２６とを有した形状であり、サブピクセル２０全体の形状が、第１の斜め方向３１と第１の斜め方向３１に対して左右対称的となる第２の斜め方向３２とで形状が異なっている。これにより、白表示を行う場合のモアレの発生が抑制される。
【００４０】
また、図１９（Ｂ）および図２０に示したように、第１の領域２０−１の単体での形状も、第１の斜め方向３１と第２の斜め方向３２とで異なっている。図１９（Ｂ）に示したように、第１の領域２０−１の垂直方向のピクセル幅は水平位置に応じてＨ１，Ｈ２と異なる部分が存在している。また、図２０に示したように、第１の領域２０−１は、部分的に第２の斜め方向３２に延在するような形状を有している。
【００４１】
以上の第１および第２の例のような構造にすることで、白表示を行う場合と中間調表示を行う場合との双方において、水平方向の画素列において、開口部１２の傾斜方向（第１の斜め方向３１）に平行な平行線に含まれるサブピクセル２０の有効領域の割合（平行線とサブピクセル２０の有効領域とが重なり合う長さの割合）が水平方向の位置によらず一定となる。従って、開口部１２の開口幅Ｗ１が同一であれば、サブピクセル２０の透過面積の割合が開口部１２の水平位置によらず一定となり、モアレの発生が抑制される。
【００４２】
なお、以上の説明では、サブピクセル２０が２つの領域２０−１，２０−２に分割されている例を挙げたが、画素の分割数が３つ以上であっても良い。
【００４３】
＜３．第３の実施の形態＞
次に、本開示の第３の実施の形態に係る表示装置について説明する。なお、上記第１または第２の実施の形態に係る表示装置と実質的に同一の構成部分には同一の符号を付し、適宜説明を省略する。
【００４４】
上記第１または第２の実施の形態では、パララックスバリア方式の表示装置を例に説明したが、本開示による技術は、レンチキュラレンズ方式の表示装置にも適用可能である。例えば図２１に示したように、図１に示したパララックスバリア１に代えて、レンチキュラレンズ１Ａを用いるようにしても良い。レンチキュラレンズ１Ａは、複数の分離部として機能する複数の分割レンズを有している。分割レンズは、所定の方向に延在する円筒レンズ１３である。円筒レンズ１３の母線方向を、パララックスバリア１における開口部１２と同様に、第１の斜め方向３１に傾斜配置した構成にすれば良い。
【００４５】
なお、レンチキュラレンズ１Ａとして、可変式のレンチキュラレンズを用いてもよい。可変式のレンチキュラレンズとしては、液晶レンズや液体レンズを用いることができる。
【００４６】
＜４．その他の実施の形態＞
本開示による技術は、上記各実施の形態の説明に限定されず種々の変形実施が可能である。
上記各実施の形態に係る表示装置は、表示機能を有する種々の電子機器に適用可能である。図２２は、そのような電子機器の一例としてテレビジョン装置の外観構成を表している。このテレビジョン装置は、フロントパネル２１０およびフィルターガラス２２０を含む映像表示画面部２００を備えている。テレビジョン装置の他にも、ノート型パーソナルコンピュータ等に適用可能である。
【００４７】
また例えば、本技術は以下のような構成を取ることができる。
（１）
複数の画素を有し、複数の視点画像を表示する表示部と、
前記表示部に表示された前記複数の視点画像をそれぞれ異なる方向に分離する複数の分離部と
を備え、
前記各分離部が第１の斜め方向に傾斜配置され、
前記各画素が、前記第１の斜め方向と前記第１の斜め方向に対して左右対称的となる第２の斜め方向とで形状が異なっている
表示装置。
（２）
前記各画素は、前記第１の斜め方向において少なくとも１つの切り欠き部を有する
上記（１）に記載の表示装置。
（３）
前記切り欠き部は、矩形状である
上記（２）に記載の表示装置。
（４）
前記切り欠き部は、前記第２の斜め方向に傾斜するような形状である
上記（２）に記載の表示装置。
（５）
前記複数の画素は、垂直方向および水平方向に２次元的に配列され、
前記複数の分離部は、垂直方向に対して第１の角度で前記第１の斜め方向に傾斜配置されている
上記（１）ないし（４）のいずれか１つに記載の表示装置。
（６）
水平方向の各画素列において、前記第１の斜め方向に平行な平行線が前記各画素の有効領域と重なり合う長さが水平方向の位置によらず一定となっている
上記（５）に記載の表示装置。
（７）
前記第２の斜め方向は、垂直方向に対して前記第１の角度とは左右逆方向となるような第２の角度で傾斜する方向である
上記（５）または（６）に記載の表示装置。
（８）
前記各画素は、それぞれが階調に応じて個別に制御される複数の画素領域に分割されており、
前記複数の画素領域を全て含む全体の形状が、前記第１の斜め方向と前記第２の斜め方向とで異なっている
上記（１）ないし（７）のいずれか１つに記載の表示装置。
（９）
前記複数の画素領域のうち、一部の画素領域の形状も、前記第１の斜め方向と前記第２の斜め方向とで異なっている
上記（８）に記載の表示装置。
（１０）
前記一部の画素領域は、部分的に前記第２の斜め方向に延在するような形状を有する
上記（９）に記載の表示装置。
（１１）
前記表示部において、前記複数の画素の間にブラックマトリクスを有する
上記（１）ないし（９）のいずれか１つに記載の表示装置。
（１２）
表示装置を備え、
前記表示装置は、
複数の画素を有し、複数の視点画像を表示する表示部と、
前記表示部に表示された前記複数の視点画像をそれぞれ異なる方向に分離する複数の分離部と
を有し、
前記各分離部が、第１の斜め方向に傾斜配置され、
前記各画素は、前記第１の斜め方向と前記第１の斜め方向に対して左右対称的となる第２の斜め方向とで形状が異なっている
電子機器。
【符号の説明】
【００４８】
１…パララックスバリア、１Ａ…レンチキュラレンズ、２…表示部、１０Ｌ…左眼、１０Ｒ…右眼、１１…遮蔽部、１２…開口部（分離部）、１３…円筒レンズ（分離部）、２０…サブピクセル、２０−１…第１の領域、２０−２…第２の領域、２０Ｒ…赤色サブピクセル、２０Ｇ…緑色サブピクセル、２０Ｂ…青色サブピクセル、３１…第１の斜め方向（開口部の延在方向、傾斜方向）、３２…第２の斜め方向、２２…切り欠き部、２３…第１の切り欠き部、２４…第２の切り欠き部、２５…第１の切り欠き部、２６…第２の切り欠き部、４１…平行線、２００…映像表示画面部、２１０…フロントパネル、２２０…フィルターガラス、Ｗ１…開口幅、Ｈ１，Ｈ２…垂直方向のピクセル幅、α…第１の角度、−α…第２の角度。
【図１】
2013101171.tif 000003
【図２】
2013101171.tif 000004
【図３】
2013101171.tif 000005
【図４】
2013101171.tif 000006
【図５】
2013101171.tif 000007
【図６】
2013101171.tif 000008
【図７】
2013101171.tif 000009
【図８】
2013101171.tif 000010
【図９】
2013101171.tif 000011
【図１０】
2013101171.tif 000012
【図１１】
2013101171.tif 000013
【図１２】
2013101171.tif 000014
【図１３】
2013101171.tif 000015
【図１４】
2013101171.tif 000016
【図１５】
2013101171.tif 000017
【図１６】
2013101171.tif 000018
【図１７】
2013101171.tif 000019
【図１８】
2013101171.tif 000020
【図１９】
2013101171.tif 000021
【図２０】
2013101171.tif 000022
【図２１】
2013101171.tif 000023
【図２２】
2013101171.tif 000024